(57)【要約】【課題】条件を満たした参加者のみがイベントの演出操作を実行可能な演出制御システムを提供すること。【解決手段】操作用端末において操作エントリー用ツールから取得した情報に基づく操作エントリー通知をサーバ装置に送信する操作エントリー通知処理と、予め設定した所定条件を操作用端末が満たした場合に、当該操作用端末に対してサーバ装置から演出操作許可通知を送信する演出操作許可通知処理と、演出操作許可通知を受信した操作用端末においてユーザによる演出パターンを切り替えるための演出切替指示の入力を受け付け、受け付けた演出切替指示の情報をサーバ装置に送信する演出切替指示送信処理と、演出切替指示の情報をサーバ装置から演出装置制御用端末に対して転送する演出切替指示転送処理と、演出装置制御用端末において演出切替指示の情報に従って演出装置の演出パターンを切り替える制御を行う演出パターン切替制御処理とを実行可能である。【選択図】図１
2018200842.tif 000002
【特許請求の範囲】
【請求項１】
複数の演出パターンを切り替えて演出可能な演出装置と、前記演出装置の演出を制御するための演出装置制御用端末と、ユーザが演出操作の入力を行うための少なくとも１以上の操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムであって、
前記操作エントリー用ツールから操作エントリーに用いる情報を取得した操作用端末から送信される操作エントリー通知を前記サーバ装置に対して送信する操作エントリー通知処理と、
予め設定した演出操作を許可するための所定条件を前記操作エントリー通知を送信した操作用端末が満たした場合に、当該操作用端末に対してサーバ装置から演出操作を許可するための演出操作許可通知を送信する演出操作許可通知処理と、
前記演出操作許可通知を受信した操作用端末においてユーザによる演出パターンを切り替えるための演出切替指示の入力を受け付け、受け付けた演出切替指示の情報を前記サーバ装置に送信する演出切替指示送信処理と、
前記演出切替指示の情報を前記サーバ装置から前記演出装置制御用端末に対して転送する演出切替指示転送処理と、
前記演出装置制御用端末において、受信した前記演出切替指示の情報に従って前記演出装置の演出パターンを切り替える制御を行う演出パターン切替制御処理と
を実行可能である演出制御システム。
【請求項２】
前記演出操作許可通知処理では、演出操作許可通知によって前記操作用端末を操作するユーザが選択可能な演出パターンの内容を指定するようにした
請求項１記載の演出制御システム。
【請求項３】
前記演出操作許可通知処理では、前記操作用端末が複数の操作エントリー用ツールの何れに基づいて操作エントリー通知を行ったかによってユーザが選択可能な演出パターンの内容が決定されるようにした
請求項１又は２に記載の演出制御システム。
【請求項４】
前記操作エントリー用ツールは、予め演出操作可能領域として設定された場所にユーザから視認可能なように配置されたマトリックス型二次元コードであり、マトリックス型二次元コードを前記操作用端末で読み取ることで操作エントリーに用いる情報を取得可能とした
請求項１から請求項３の何れかに記載の演出制御システム。
【請求項５】
前記操作エントリー用ツールは、予め演出操作可能領域として設定された場所に配置されたビーコン発信機であり、ビーコン発信機からの発信電波を前記操作用端末で受信することで操作エントリーに用いる情報を取得可能とした
請求項１から請求項３の何れかに記載の演出制御システム。
【請求項６】
前記演出装置は照明装置であり、複数の演出パターンの中に、照明装置における点灯色を指定色に変更する演出パターンを含むようにした
請求項１から請求項５の何れかに記載の演出制御システム。
【請求項７】
複数の演出パターンを切り替えて演出可能な演出装置と、前記演出装置の演出を制御するための演出装置制御用端末と、ユーザが演出操作の入力を行うための少なくとも１以上の操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムであって、
前記操作エントリー用ツールから操作エントリーに用いる情報を取得した操作用端末において、予め当該操作用端末に記憶させた演出操作を許可するための所定条件に基づいて当該操作用端末が所定条件を満たすか否かを判定し、所定条件を満たす場合に、ユーザによる演出パターンを切り替えるための演出切替指示の入力を受け付け、受け付けた演出切替指示の情報を前記サーバ装置に送信する演出切替指示送信処理と、
前記演出切替指示の情報を前記サーバ装置から前記演出装置制御用端末に対して転送する演出切替指示転送処理と、
前記演出装置制御用端末において、受信した前記演出切替指示の情報に従って前記演出装置の演出パターンを切り替える制御を行う演出パターン切替制御処理と
を実行可能である演出制御システム。
【請求項８】
複数の演出パターンを切り替えて演出可能な演出装置と、前記演出装置の演出を制御するための演出装置制御用端末と、ユーザが演出操作の入力を行うための操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムにおけるサーバ装置であって、
前記操作エントリー用ツールから操作エントリーに用いる情報を取得した操作用端末から送信される操作エントリー通知を受信する操作エントリー通知受信部と、
予め設定した演出操作を許可するための所定条件を前記操作エントリー通知を送信した操作用端末が満たした場合に、当該操作用端末に対して演出操作を許可するための演出操作許可通知を送信する演出操作許可通知部と、
前記演出操作許可通知を受信した操作用端末においてユーザによって入力される情報であって、演出パターンを切り替えるための演出切替指示の情報を受信する演出切替指示受信部と、
前記演出切替指示を前記演出装置制御用端末に対して転送することで、前記演出装置の演出パターンを切り替える制御を当該演出装置制御用端末において実行させる演出切替指示転送部と
を備えた演出制御システムにおけるサーバ装置。
【請求項９】
複数の演出パターンを切り替えて演出可能な演出装置と、前記演出装置の演出を制御するための演出装置制御用端末と、ユーザが演出操作の入力を行うための操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムにおけるサーバ装置であって、
前記操作エントリー用ツールから操作エントリーに用いる情報を取得した操作用端末において、予め当該操作用端末に記憶させた演出操作を許可するための所定条件に基づいて当該操作用端末が所定条件を満たすか否かを判定し、所定条件を満たす場合に、ユーザによる演出パターンを切り替えるための演出切替指示の入力を受け付け、受け付け後に当該操作用端末から送信された演出切替指示の情報を受信する演出切替指示受信部と、
前記演出切替指示を前記演出装置制御用端末に対して転送することで、前記演出装置の演出パターンを切り替える制御を当該演出装置制御用端末において実行させる演出切替指示転送部と
を備えた演出制御システムにおけるサーバ装置。
【発明の詳細な説明】
【技術分野】
【０００１】
本発明は、条件を満たした参加者がイベントの演出操作を実行可能な演出制御システム及び演出制御システムにおけるサーバ装置に関するものである。
【背景技術】
【０００２】
近年、イベントの主催者がイベント参加者に対してイベントの演出を一方向に提供する従来型のイベントの開催手法に加えて、イベント参加者側からもイベントに参加することを可能にした双方向型のイベント開催手法が提案されている。
【０００３】
例えば、特許文献１に記載の画像合成表示装置では、参加者の携帯端末からコメント等の情報を受信して主催者の用意した表示画面に合成して表示させる構成が開示されている。
【先行技術文献】
【特許文献】
【０００４】
【特許文献１】特開２００６−２６８４４２号公報
【発明の概要】
【発明が解決しようとする課題】
【０００５】
ところで、イベントにおいて、イベントの演出に影響を与える操作（以下、演出操作）を参加者に許可する場合、全参加者に無制限に演出操作を許可してしまうとイベントの進行に影響をきたすおそれがあるときには、演出操作を許可する参加者を制限したい状況が考えられる。また、演出操作を無制限に許可すると演出操作を行えることについての特別感が薄くなり、参加者が十分に満足感を得られない可能性がある。上記特許文献１では、携帯端末等からコメントを送信して画面に表示させる点で双方向性を実現しているが、イベントに参加するための条件等を規定して参加を制限する点については開示されていない。
【０００６】
本発明は、上記問題点に鑑みなされたものであり、所定条件を満たした参加者の端末に対してイベントの演出操作を許可することで、条件を満たした参加者のみがイベントの演出操作を実行可能な演出制御システム及び演出制御システムにおけるサーバ装置を提供することを目的とする。
【課題を解決するための手段】
【０００７】
本発明に係る演出制御システムは、複数の演出パターンを切り替えて演出可能な演出装置と、前記演出装置の演出を制御するための演出装置制御用端末と、ユーザが演出操作の入力を行うための少なくとも１以上の操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムであって、前記操作エントリー用ツールから操作エントリーに用いる情報を取得した操作用端末から送信される操作エントリー通知を前記サーバ装置に対して送信する操作エントリー通知処理と、予め設定した演出操作を許可するための所定条件を前記操作エントリー通知を送信した操作用端末が満たした場合に、当該操作用端末に対してサーバ装置から演出操作を許可するための演出操作許可通知を送信する演出操作許可通知処理と、前記演出操作許可通知を受信した操作用端末においてユーザによる演出パターンを切り替えるための演出切替指示の入力を受け付け、受け付けた演出切替指示の情報を前記サーバ装置に送信する演出切替指示送信処理と、前記演出切替指示の情報を前記サーバ装置から前記演出装置制御用端末に対して転送する演出切替指示転送処理と、前記演出装置制御用端末において、受信した前記演出切替指示の情報に従って前記演出装置の演出パターンを切り替える制御を行う演出パターン切替制御処理とを実行可能であることを特徴とする。
【０００８】
また、本発明に係る演出制御システムは、前記演出操作許可通知処理では、演出操作許可通知によって前記操作用端末を操作するユーザが選択可能な演出パターンの内容を指定するようにしたことを特徴とする。
【０００９】
また、本発明に係る演出制御システムは、前記演出操作許可通知処理では、前記操作用端末が複数の操作エントリー用ツールの何れに基づいて操作エントリー通知を行ったかによってユーザが選択可能な演出パターンの内容が決定されるようにしたことを特徴とする。
【００１０】
また、本発明に係る演出制御システムは、前記操作エントリー用ツールは、予め演出操作可能領域として設定された場所にユーザから視認可能なように配置されたマトリックス型二次元コードであり、マトリックス型二次元コードを前記操作用端末で読み取ることで操作エントリーに用いる情報を取得可能としたことを特徴とする。
【００１１】
また、本発明に係る演出制御システムは、前記操作エントリー用ツールは、予め演出操作可能領域として設定された場所に配置されたビーコン発信機であり、ビーコン発信機からの発信電波を前記操作用端末で受信することで操作エントリーに用いる情報を取得可能としたことを特徴とする。
【００１２】
また、本発明に係る演出制御システムは、前記演出装置は照明装置であり、複数の演出パターンの中に、照明装置における点灯色を指定色に変更する演出パターンを含むようにしたことを特徴とする。
【００１３】
また、本発明に係る演出制御システムは、複数の演出パターンを切り替えて演出可能な演出装置と、前記演出装置の演出を制御するための演出装置制御用端末と、ユーザが演出操作の入力を行うための少なくとも１以上の操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムであって、前記操作エントリー用ツールから操作エントリーに用いる情報を取得した操作用端末において、予め当該操作用端末に記憶させた演出操作を許可するための所定条件に基づいて当該操作用端末が所定条件を満たすか否かを判定し、所定条件を満たす場合に、ユーザによる演出パターンを切り替えるための演出切替指示の入力を受け付け、受け付けた演出切替指示の情報を前記サーバ装置に送信する演出切替指示送信処理と、前記演出切替指示の情報を前記サーバ装置から前記演出装置制御用端末に対して転送する演出切替指示転送処理と、前記演出装置制御用端末において、受信した前記演出切替指示の情報に従って前記演出装置の演出パターンを切り替える制御を行う演出パターン切替制御処理とを実行可能であることを特徴とする。
【００１４】
本発明に係る演出制御システムにおけるサーバ装置は、複数の演出パターンを切り替えて演出可能な演出装置と、前記演出装置の演出を制御するための演出装置制御用端末と、ユーザが演出操作の入力を行うための操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムにおけるサーバ装置であって、前記操作エントリー用ツールから操作エントリーに用いる情報を取得した操作用端末から送信される操作エントリー通知を受信する操作エントリー通知受信部と、予め設定した演出操作を許可するための所定条件を前記操作エントリー通知を送信した操作用端末が満たした場合に、当該操作用端末に対して演出操作を許可するための演出操作許可通知を送信する演出操作許可通知部と、前記演出操作許可通知を受信した操作用端末においてユーザによって入力される情報であって、演出パターンを切り替えるための演出切替指示の情報を受信する演出切替指示受信部と、前記演出切替指示を前記演出装置制御用端末に対して転送することで、前記演出装置の演出パターンを切り替える制御を当該演出装置制御用端末において実行させる演出切替指示転送部とを備えたことを特徴とする。
【００１５】
本発明に係る演出制御システムにおけるサーバ装置は、複数の演出パターンを切り替えて演出可能な演出装置と、前記演出装置の演出を制御するための演出装置制御用端末と、ユーザが演出操作の入力を行うための操作用端末と、予め設定された複数の演出操作可能領域のそれぞれに配置され各演出操作可能領域内の操作用端末に対して操作エントリーに用いる情報を提供するための複数の操作エントリー用ツールと、前記操作用端末及び前記演出装置制御用端末と通信ネットワークを介して接続されたサーバ装置とを備えた演出制御システムにおけるサーバ装置であって、前記操作エントリー用ツールから操作エントリーに用いる情報を取得した操作用端末において、予め当該操作用端末に記憶させた演出操作を許可するための所定条件に基づいて当該操作用端末が所定条件を満たすか否かを判定し、所定条件を満たす場合に、ユーザによる演出パターンを切り替えるための演出切替指示の入力を受け付け、受け付け後に当該操作用端末から送信された演出切替指示の情報を受信する演出切替指示受信部と、前記演出切替指示を前記演出装置制御用端末に対して転送することで、前記演出装置の演出パターンを切り替える制御を当該演出装置制御用端末において実行させる演出切替指示転送部とを備えたことを特徴とする。
【発明の効果】
【００１６】
本発明によれば、操作用端末に演出操作を許可するための前提として、操作用端末が操作エントリー用ツールから操作エントリーに用いる情報を取得することを要求するようにしたので、ユーザにイベントに参加しているという満足感や充実感を与えることができるという効果があり、また、操作エントリー用ツールを用いることで演出操作を許可する参加者を制限する機能を果たすことができる。また、演出操作を許可するための所定条件を設定して、所定条件を満たした場合にのみ操作用端末に対して演出操作を許可するようにしたので、演出操作を許可する所定条件を様々に設定してイベントのエンターテインメント性を向上させることが可能となる。また、複数の操作エントリー用ツールの何れから操作エントリーに用いる情報を取得したかによって操作用端末に提示する演出パターンの選択肢を異なるようにすることも可能であり、ユーザが選択する演出切替指示の情報に特別感を持たせることができる。
【図面の簡単な説明】
【００１７】
【図１】本発明に係る演出制御システム１００の構成を表したブロック図である。
【図２】演出制御システム１００におけるサーバ装置１０の構成を表したブロック図である。
【図３】操作エントリー用ツール５０１〜５０ｍの使用例を表した説明図である。
【図４】演出操作許可を受けた操作用端末２０において演出切替指示を入力するための画面の一例を表した説明図であり、（ａ）は、ミニゲーム等のアプリケーションによって演出切替指示の入力を受付ける場合の画面の例であり、（ｂ）は、演出パターンの選択肢を表示させてユーザに選択させるための画面の例である。
【図５】演出制御システム１００における処理の流れを表したフロー図である。
【図６】サーバ装置１０における処理の流れを表したフローチャート図である。
【発明を実施するための形態】
【実施例１】
【００１８】
以下、図面を参照しながら、実施例１に係る演出制御システム１００の例について説明する。図１は、本発明に係る演出制御システム１００の構成を表したブロック図である。この図１に示すように、本発明に係る演出制御システム１００は、サーバ装置１０と、操作用端末２０１〜２０ｎと、演出装置制御用端末３０とが通信ネットワーク４０を介して相互に通信可能に構成されており、演出装置４０が演出装置制御用端末３０に対して有線又は無線で接続されている。また、操作用端末２０１〜２０ｎが操作エントリーを行うための情報を取得する手段としての操作エントリー用ツール５０１〜５０ｍが用いられる。
【００１９】
サーバ装置１０は、操作用端末２０１〜２０ｎに対する演出操作許可通知を送信するまでの処理と、演出制御システム１００における制御対象である演出装置４０に対する操作用端末２０１〜２０ｎからの演出操作指示を演出操作指示を演出装置制御用端末３０に対して送信する処理とを担う機能を有する。
【００２０】
操作用端末２０１〜２０ｎは、操作エントリー用ツール５０１〜５０ｍから操作エントリーを行うための情報を取得するためのハードウェア構成を有し、かつ、演出切替指示を実行可能なハードウェア構成を有するものである必要がある。具体的には、例えば、演出装置４０による演出を観覧中のユーザが所持するスマートフォン等の携帯端末が挙げられる。
【００２１】
演出装置制御用端末３０は、演出装置４０の演出を制御する機能を有するとともに、操作用端末２０１〜２０ｎの何れかから演出切替指示がなされた場合に、現在の演出パターンから演出切替指示によって指示された演出パターンに切り替える制御を実行する機能を有する。例えば、演出装置４０が照明装置である場合、この演出装置制御用端末３０は、ＤＭＸ５１２等の通信規格に基づいて照明装置の制御を実行可能な端末である必要がある。このように、演出装置制御用端末３０は演出装置４０の特性に応じた制御が可能なものである必要がある。
【００２２】
演出装置４０は、演出装置制御用端末３０によって切替可能に制御される複数の演出パターンを有している。複数の演出パターンを切替制御可能なものであればどのような演出装置であってもよいが、例えば、ＬＥＤユニットを多数結合して構成され発光色や発光パターンを様々に切替制御可能な照明装置や、効果音、音楽等を様々に切替制御可能な音響装置や、映される映像の登場キャラクター、ストーリー等を様々に切替制御可能な映像処理装置などが挙げられる。また、演出パターンという場合には、発光色を赤から青に変更といった単一の切替処理の場合もあれば、発光色を赤から青にグラデーション状に徐々に変化させながら最終的に全ての証明を青色に変化させるといったように複雑な一連の処理を指す場合もあるものとする。また、演出装置４０は、イベント等の特別な状況で使用される装置に限らず、制御によって演出パターンを切替可能な装置であればどのようなものであってもよく、例えば、街中に配置された街灯のようなものであってもよい。街灯の中には、赤色、緑色、青色、白色の４色のＬＥＤを組み合わせたＲＧＢＷのＬＥＤユニットを採用したものが存在する。そのようなＲＧＢＷのＬＥＤユニットからなる街灯に演出装置制御用端末３０を接続し、演出装置制御用端末３０によって各ＬＥＤの発光をそれぞれ制御可能とすれば、通常時は街灯としての機能を果たし、ユーザが街灯の発光パターンを切り替えるために演出操作許可を受けて演出操作指示を行った場合には、演出操作指示の内容に基づいて街灯の演出パターンを切替えるといった運用が可能となる。この場合の演出パターンの例としては、ＲＧＢＷの各ＬＥＤの発光比率を制御することで街灯の発光色（路上から観察できる色）を指定色に変更する場合や、徐々に色彩を変化させるグラデーションの演出を行う場合や、点灯と消灯のタイミングを制御して行う点滅等の演出の場合が考えられる。
【００２３】
操作エントリー用ツール５０１〜５０ｍは、操作用端末２０１〜２０ｎに対して操作エントリーに用いる情報を提供する機能を有する。これらの操作エントリー用ツール５０１〜５０ｍの用い方はどのような手法であってもよいが、例えば、イベント会場の予め設定された複数の演出操作可能領域５１１〜５１ｍのそれぞれに配置されて、各演出操作可能領域内の操作用端末２０に対して操作エントリーに用いる情報を提供する。操作エントリー用ツール５０１〜５０ｍは、例えば、各演出操作可能領域内の操作用端末２０に対して電波によって操作エントリーに用いる情報を提供するビーコン発信機であってもよい。また、操作エントリー用ツール５０１〜５０ｍは、例えば、ＮＦＣ等の短距離無線通信技術を用いたものであってもよい。また、操作エントリー用ツール５０１〜５０ｍは、例えば、各演出操作可能領域内に視認可能に配置されたマトリックス型二次元コード、いわゆるＱＲコード（登録商標）であってもよい。ビーコン発信機やＮＦＣの場合には、予め定めた演出操作可能領域に配置するという表現が的確であるが、マトリックス型二次元コードの場合には、予め定めた演出操作可能領域に配置する手法であってもよいが、抽選における当たりくじにマトリックス型二次元コードを印刷しておくような方法も採用可能である。
【００２４】
また、操作エントリーに用いる情報は、少なくともサーバ装置１０に対してアクセスするためのＵＲＬ等の情報を含むものである必要がある。なお、操作エントリーに用いる情報は、操作エントリー用ツール５０１〜５０ｍのうち何れの操作エントリー用ツールから取得した情報であるかを識別可能であるとなお好ましい。操作エントリー用ツール５０１〜５０ｍのうち何れの操作エントリー用ツールから取得したかを識別できれば、何れの操作エントリー用ツールから操作エントリーに用いる情報を取得したかによって、許可する演出操作の内容を異ならせるといった制御も可能となるからである。なお、操作エントリーに用いる情報の中に許可する演出操作の内容までを含ませるようにしてもよいし、何れの操作エントリー用ツールから取得したかの情報のみを含ませて、サーバ装置１０において操作エントリー用ツールごとに予め定めた許可する演出操作の内容を選択するという手法であってもよい。
【００２５】
図２は、演出制御システム１００におけるサーバ装置１０の構成を表したブロック図である。この図２に示すように、サーバ装置１０は、操作エントリー通知受信部１１と、演出操作許可通知部１２と、演出切替指示受信部１３と、演出切替指示転送部１４と、記憶部１５とを備えている。
【００２６】
操作エントリー通知受信部１１は、操作エントリー用ツール５０１〜５０ｍの何れかから操作エントリーに用いる情報を取得した操作用端末２０から送信される操作エントリー通知を受信する機能を有する。操作エントリー通知は、少なくとも当該操作エントリー通知を送信してきた操作用端末２０を特定可能である必要がある。また、操作エントリー通知は、許可する演出操作の内容を異ならせるための情報として、操作エントリー用ツール５０１〜５０ｍを区別して識別するための情報、又は、操作エントリー用ツール５０１〜５０ｍから取得した演出操作の内容の情報が含まれていることが好ましい。
【００２７】
演出操作許可通知部１２は、予め設定した演出操作を許可するための所定条件を操作エントリー通知を送信した操作用端末２０が満たした場合に、当該操作用端末２０に対して演出操作を許可するための演出操作許可通知を送信する機能を有する。演出操作を許可するための所定条件は、どのような条件であってもよい。例えば、操作エントリーを受け付け開始してから最初に操作エントリー通知を送信してきたことを条件としてもよいし、所定期間内に操作エントリー通知を送信してきた複数の操作用端末２０１〜２０ｎの中から抽選で選ばれたことを条件としてもよいし、複数の操作用端末２０１〜２０ｎに対して操作エントリー通知を送信してきた順番で順次演出操作を許可する場合の順番に至ったことを条件としてもよい。また、ほぼ無条件に演出操作を許可してもよい場合には、操作エントリー通知を送信してきたことのみを条件とする、すなわち、操作エントリー用ツール５０１〜５０ｍの何れかから操作エントリーに用いる情報を取得してサーバ装置１０に通知してきたものであれば他の条件は問わずに所定条件を満たしたと判断するようにしてもよい。また、操作用端末２０に求められるハードウェア構成を条件としてもよい。また、ユーザの年齢、性別等のパーソナルデータや、ユーザに予め入力させたアンケートの記入データ等をサーバ装置１０で取得して、それらのユーザ毎に異なる情報を演出操作を許可するための所定条件に含むようにしてもよい。また、演出操作許可通知には、許可する演出操作の内容を指定するための情報を含めるようにしてもよい。演出操作許可通知は、サーバ装置１０へアクセスするためのＵＲＬ等の情報を送信することをもって演出操作許可通知としてもよいし、サーバ装置１０へアクセスした際に入力する許可コードを通知するものであってもよい。
【００２８】
演出切替指示受信部１３は、サーバ装置１０から送信した演出操作許可通知を受信した操作用端末２０においてユーザによって入力される情報であって、演出パターンを切り替えるための演出切替指示の情報を受信する機能を有する。演出切替指示の情報は、現在の演出装置４０における演出パターンをユーザが選択し得る複数の演出パターンの中からユーザによって指定された演出パターンに切り替える指示を演出装置制御用端末３０に対して行うための情報である。演出切替指示の情報は、演出装置４０における演出全体を変更するものであってもよいし、演出の一部を変更するものであってもよい。
【００２９】
演出切替指示転送部１４は、操作用端末２０からの演出切替指示を演出装置制御用端末３０に対して転送することで、演出装置４０の演出パターンを切り替える制御を当該演出装置制御用端末３０において実行させる機能を有する。
【００３０】
記憶部１５は、サーバ装置１０における処理に必要な情報を記憶させる機能を有する。各部における処理の説明箇所では言及していないが、各種の情報は記憶部１５に記憶させた後に利用しているものであることはいうまでもない。
【００３１】
図３は、操作エントリー用ツール５０１〜５０ｍの使用例を表した説明図である。この図３は、演出装置４０を視認可能な広いスペースに複数の操作エントリー用ツール５０１〜５０ｍを配置した状況を想定しており、操作エントリー用ツール５０１〜５０ｍとしてビーコン発信機を採用したことを想定したものとなっている。ビーコン発信機は所定の範囲内であれば発信電波を操作用端末２０において受信できるものであり、その場合の演出操作可能領域５１１〜５１ｍは、操作エントリー用ツール５０１〜５０ｍのそれぞれを中心とした円によって表現することができる。図３においては、各演出操作可能領域５１１〜５１ｍを破線で示している。
【００３２】
一例として、図３では、操作エントリー用ツール５０１〜５０ｍのそれぞれに割り当てられた切替可能な演出パターンの内容が異なるものとする。また、各演出操作可能領域５１１〜５１ｍにおいて演出操作許可を受けられる操作用端末は１台のみであるものとする。このような前提において、図３に示す演出操作可能領域５１１の範囲内には、操作用端末２０１が入っているため、操作用端末２０１は操作エントリー用ツール５０１からのビーコン発信電波を受信可能である。ビーコン発信電波として操作エントリーに用いる情報を受信した操作用端末２０１は、ユーザが希望する場合には、演出装置４０に対する演出操作を行うための操作エントリー通知をサーバ装置１０に対して送信する。演出操作可能領域５１１の範囲内には操作用端末２０１のみしか存在せず、サーバ装置１０に対して操作用端末２０１のみが操作エントリー通知を行っている場合には、他の所定条件を満たす限りにおいて操作用端末２０１は演出操作許可を受けられる。
【００３３】
他方、図３の演出操作可能領域５１ｍには、操作用端末２０２と操作用端末２０ｎの２台の操作用端末２０が存在する。このような状況において、両者がともに操作エントリー通知をサーバ装置１０に送信した場合には、演出操作許可をする１台の操作用端末２０を決定するためのルールが必要となる。ルールは、先着順であってもよいし、抽選であってもよい。ルールの結果、操作用端末２０ｎが演出操作許可を受けられたとして、同時期に操作用端末２０１と操作用端末２０ｎが演出操作許可を受けた場合には、演出切替指示を送信できるタイミングを所定のルールで定める必要がある。演出操作許可を受けた複数の操作用端末（２０１、２０ｎ）に対する演出切替指示を送信可能なタイミングに関するルールに関してもどのようなものであってもよいが、複数の演出切替指示を同時に送信させても演出装置４０において同時に演出パターンの切替処理を実行可能な場合もあるし、同時に実行できない演出パターンの場合にはタイミングをずらさなければならない場合もある。タイミングのずらし方は、先着順であってもよいし、抽選であってもよい。図３のように、演出装置４０を視認可能な位置において演出切替指示を送信して実際に演出装置４０の演出パターンが自身の指示内容の通りに切り替わることを確認できるため、イベントに参加しているユーザは満足感、達成感を得やすいという効果がある。特に、演出操作許可を受けられる操作用端末２０に制限がある場合には殊更に満足感、達成感が得られるといえる。
【００３４】
図４は、演出操作許可を受けた操作用端末２０において演出切替指示を入力するための画面の一例を表した説明図であり、（ａ）は、ミニゲーム等のアプリケーションによって演出切替指示の入力を受付ける場合の画面の例であり、（ｂ）は、演出パターンの選択肢を表示させてユーザに選択させるための画面の例である。なお、図４（ａ）（ｂ）ともに演出装置４０が照明装置である場合の画面の例として挙げている。図４（ａ）は、画面内に照明装置において表示させることが可能な発光色と同色の球体が画面内において所定の速度で移動している状態において、移動する同じ色の球体を所定回数、例えば３回タッチすると、その色に照明装置の発光色を変更する演出切替指示が可能となる例を表している。図４（ｂ）は、選択可能な演出パターンの選択肢として、青色が点滅するパターンに変更する＜Ａパターンを実行＞と表示された選択肢と、グラデーションで徐々に色彩が変化するパターンである＜Ｂパターンを実行＞と表示された選択肢が同一画面上に提示されていて、選択肢の中からユーザが選択した演出パターンによって演出切替指示が可能となる例を表している。これらはあくまで一例であって、操作用端末２０における演出切替指示の入力方法はどのようなものであってもよい。
【００３５】
次に、演出制御システム１００における処理の流れについて説明する。図５は、演出制御システム１００における処理の流れを表したフロー図である。この図５において、演出制御システム１００における処理は、操作用端末２０が操作エントリー用ツール５０から操作エントリーに用いる情報を取得することで開始される（ステップＳ０１）。操作用端末２０を操作するユーザが操作エントリーを希望する場合には、操作用端末２０からサーバ装置１０に対して操作エントリー通知を送信する（ステップＳ０２）。操作エントリー通知を受信したサーバ装置１０では、当該操作用端末２０が演出操作を許可するための所定条件を満たすか否かについて判定を行う（ステップＳ０３）。所定条件を満たす場合には、演出操作許可通知を当該操作用端末２０に対して送信する（ステップＳ０４）。演出操作許可通知を受信した操作用端末２０では、ユーザによる演出パターンを切り替えるための演出切替指示の入力を受付ける（ステップＳ０５）。そして、入力された演出切替指示の情報をサーバ装置１０に対して送信する（ステップＳ０６）。演出切替指示の情報を受信したサーバ装置１０は、受信した演出切替指示の情報を演出装置制御用端末３０に対して転送する（ステップＳ０７）。演出切替指示の情報を受信した演出装置制御用端末３０は、演出切替指示の情報に基づいて演出装置４０の演出を切り替える制御を実行する（ステップＳ０８）。演出装置４０における演出パターンの切り替えが終了した段階で、演出制御システム１００における一連の処理を終了する。
【００３６】
図６は、サーバ装置１０における処理の流れを表したフローチャート図である。この図６において、サーバ装置１０における処理は、操作用端末２０から送信された操作エントリー通知を受信することで開始される（ステップＳ１０１）。操作エントリー通知を送信した操作用端末２０が演出操作を許可するための所定条件を満たすか否かについて判定を行う（ステップＳ１０２）。判定の結果、所定条件を満たす場合（ステップＳ１０３−Ｙ）には、演出操作許可通知を当該操作用端末２０に対して送信する（ステップＳ１０４）。なお、判定の結果、所定条件を満たさない場合（ステップＳ１０３−Ｎ）には、演出操作を許可できない旨の通知を当該操作用端末２０に対して送信して（ステップＳ１０７）、処理を終了する。ちなみに、所定条件の中に、演出操作許可を受けるための順番待ちが存在していて、順番に到達していないような状態の場合には、このステップＳ１０７のようにして処理を終了するのではなく、例えば、順番待ち中であることを操作用端末２０に対して通知しつつ、順番が到達するまでステップＳ１０２及びステップＳ１０３の処理を繰り返すフローとする必要がある。
【００３７】
演出操作許可通知を当該操作用端末２０に対して送信した後は、操作用端末２０において演出切替指示を入力を受付ける必要があり、その間、サーバ装置１０では、操作用端末２０から演出切替指示の情報の受信を待機する（ステップＳ１０５）。操作用端末２０から演出切替指示の情報の受信した場合（ステップＳ１０５−Ｙ）には、演出切替指示の情報を演出装置制御用端末３０に対して転送して、演出装置制御用端末３０において演出装置４０の演出パターンを切り替える制御を実行させる（ステップＳ１０６）。演出装置４０における演出パターンの切り替えが終了した段階で、サーバ装置１０における一連の処理を終了する。
【００３８】
以上のように、本発明に係る演出制御システム１００によれば、操作用端末２０に演出操作を許可するための前提として、操作用端末２０が操作エントリー用ツール５０から操作エントリーに用いる情報を取得してからサーバ装置１０に対して操作エントリー通知を送信することを要求するようにしたので、ユーザにイベントに参加しているという満足感や充実感を与えることができるという効果があり、また、操作エントリー用ツール５０を用いることで演出操作を許可する参加者を制限する機能を果たすことができる。例えば、操作エントリー用ツール５０としてのビーコン発信機の電波強度を弱めたり、マトリックス型二次元コードを小さく提示したりして、操作エントリー用ツール５０をユーザに探させるようにすることで、ゲーム感覚でユーザに達成感を与えつつ、演出操作を許可する参加者を制限するという両方の効果を実現出来たりもする。
【００３９】
また、本発明に係る演出制御システム１００によれば、演出操作を許可するための所定条件を設定して、所定条件を満たした場合にのみサーバ装置１０から操作用端末２０に対して演出操作許可通知を送信するようにしたので、演出操作を許可する所定条件を様々に設定してイベントのエンターテインメント性を向上させることが可能となる。また、演出操作許可通知によって操作用端末２０に提示する選択肢としての演出パターンが、操作エントリー用ツール５０１〜５０ｍの何れに基づいて操作エントリーの通知を行ったかによって異なるようにすることも可能であり、ユーザが選択する演出切替指示の情報に特別感を持たせることができる。
【実施例２】
【００４０】
前記実施例１においては、操作用端末２０に対する演出操作の許可については、操作用端末２０からの操作エントリー通知を受信したサーバ装置１０において演出操作許可に関する所定条件を満たすか否かの判断を行って、条件を満たす場合に操作用端末２０に演出操作許可通知を送信するという流れで行い、演出操作許可通知を受信した操作用端末２０でユーザによる演出パターンを切り替えるための演出切替指示の入力を受け付け、受け付けた演出切替指示の情報をサーバ装置１０に送信するようにしていたが、これに限定されるものではなく、操作用端末２０において演出操作許可に関する所定条件を満たすか否かの判定を行うようにしてもよい。
【００４１】
例えば、操作用端末２０において、演出操作許可に関する所定条件の判定機能を備えた専用のアプリケーションプログラムをインストールする等の方法により、演出操作許可に関する所定条件を判定するための構成を予め操作用端末２０に備えさせておく。そのような判定の構成を備えた操作用端末２０において操作エントリー用ツール５０１〜５０ｍの何れかから操作エントリーに用いる情報を取得した場合は、操作用端末２０において演出操作許可に関する所定条件の判定を実行する。所定条件を満たした場合には、そのままユーザによる演出パターンを切り替えるための演出切替指示の入力を受け付け、演出切替指示の情報を受け付けてから初めてサーバ装置１０に送信する。なお、所定条件を満たさない場合には、演出切替指示の入力を受付けないといった処理が考えられる。
【００４２】
また、操作エントリー用ツール５０１〜５０ｍの何れかから操作エントリーに用いる情報を取得したかによって許可する演出パターンの選択肢を変更するような場合には、何れの操作エントリー用ツール５０１〜５０ｍの場合にどの演出パターンの選択肢を提示するかの情報についても専用のアプリケーションプログラムに記憶させて判別可能に構成する。そして、操作用端末２０において所定条件を満たす判定がなされたときに、操作エントリー用ツール１〜５０ｍの何れから操作エントリーに用いる情報を取得したかによって、ユーザに提示する演出パターンの選択肢を決定して提示するようにする。
【００４３】
操作用端末２０において所定条件を満たす判定がなされてからサーバ装置１０に演出切替指示の情報が送信されるため、サーバ装置１０では、所定条件の判定をすることなく受信した演出切替指示の情報を演出装置制御用端末３０に転送する処理を行って、演出装置制御用端末３０において演出切替指示の情報に基づいた制御が実行される。
【００４４】
このように、操作エントリー用ツール５０１〜５０ｍの何れかからの操作エントリーに用いる情報の取得、演出操作許可に関する所定条件の判定、ユーザによる演出切替指示の入力の受付、及び、演出切替指示の情報のサーバ装置への送信の処理を操作用端末２０において実行するようにすることで、サーバ装置１０との通信回数及びサーバ装置１０における処理の軽減を実現しつつも、実施例１と同様の効果を得られる演出制御システム１００を提供することができる。
【００４５】
前記実施例１及び２においては、サーバ装置１０と演出装置制御用端末３０とは異なる装置として説明を行ったが、サーバ装置１０と演出装置制御用端末３０の両方の機能を実現可能な１つの装置であってもよい。
【符号の説明】
【００４６】
１００          演出制御システム
１０            サーバ装置
１１            操作エントリー通知受信部
１２            演出操作許可通知部
１３            演出切替指示受信部
１４            演出切替指示転送部
１５            記憶部
２０、２０１〜２０ｎ        操作用端末
３０            演出装置制御用端末
４０            演出装置
５０、５０１〜５０ｍ        操作エントリー用ツール
５１１〜５１ｍ        演出操作可能領域
【図１】
2018200842.tif 000003
【図２】
2018200842.tif 000004
【図３】
2018200842.tif 000005
【図４】
2018200842.tif 000006
【図５】
2018200842.tif 000007
【図６】
2018200842.tif 000008